(57)【要約】      （修正有）【課題】複数のケーブルがプラグ組み立て部材中に直接嵌合されて固定され、外部ケーブルの絶縁層を剥離する工程が省略可能となり、ケーブルが外に向けて散逸させる放射損失が低減するプラグ組み立て部材を提供する。【解決手段】プラグ組み立て部材はケーブル５を挟み込む下部筐体１と上部筐体２を備え、下部筐体の両側にはそれぞれ上に向けて突出する下側壁を有し、下部筐体内には下部筐体の上表面から上に向けて突出すると共に両側の下側壁から内に向けて突出する少なくとも１つの下部嵌め込み部１４が形成される。上部筐体は下部筐体に装設され、上部筐体の両側にはそれぞれ下に向けて突出する上側壁を有し、上側壁は下側壁に対応し、上部筐体内には上部筐体の下表面から下に向けて突出すると共に両側の上側壁から内に向けて突出する少なくとも１つの上部嵌め込み部２４が形成され、上部嵌め込み部は下部嵌め込み部に対応する。【選択図】図９
0003223499.tif 000002
【実用新案登録請求の範囲】
【請求項１】
両側にはそれぞれ上に向けて突出するように形成される下側壁を有し、後端には上に向けて突出するように形成されると共に下部結合口が開設される下部後端壁を有する下部筐体と、
前記下部筐体に装設される、両側にはそれぞれ下に向けて突出するように形成されると共に前記下側壁に対応するように設けられる上側壁を有し、後端には下に向けて突出するように形成されると共に前記下部後端壁に対応するように設けられる、前記下部結合口に対応するように設けられる上部結合口が開設される上部後端壁を有する上部筐体と、
を備え、
前記下部筐体には、その上表面、前記下側壁、及び前記下部後端壁が包囲することにより下部収容空間が形成され、前記下部収容空間内には前記下部筐体の上表面から上に向けて突出すると共に両側の前記下側壁から内に向けて突出するように形成される少なくとも１つの下部嵌め込み部が形成され、
前記上部結合口は前記下部結合口と共に外部結合口を構成し、
前記上部筐体には、その下表面、前記上側壁、及び前記上部後端壁が包囲することにより上部収容空間が形成され、前記上部収容空間は前記下部収容空間に対応するように設けられ、且つ前記下部収容空間と共に収容空間を形成し、前記上部収容空間内には前記上部筐体の下表面から下に向けて突出すると共に両側の前記上側壁から内に向けて突出するように形成される少なくとも１つの上部嵌め込み部が形成され、前記上部嵌め込み部は前記下部嵌め込み部に対応するように設けられる、
ことを特徴とするプラグ組み立て部材。
【請求項２】
前記下部結合口は内に向けて突出するように形成される下部嵌め込み部を有し、前記上部結合口は内に向けて突出するように形成される上部嵌め込み部を有し、前記上部嵌め込み部は前記下部嵌め込み部に対応するように設けられ、
プラグ組み立て部材に適合する複数の外部ケーブルを更に有し、前記複数の外部ケーブルは前記外部結合口を通過して回路基板に接続され、前記複数の外部ケーブルは４本あり、前記４本の外部ケーブルの外囲は熱収縮チューブにより覆われ、前記熱収縮チューブが４本の外部ケーブルを被覆することにより方円形が形成され、前記外部結合口の形状は方円形を呈し、方円形の前記外部結合口及び方円形の前記ケーブルが共に前記熱収縮チューブに緊密に貼り合わせられる、
ことを特徴とする請求項１に記載のプラグ組み立て部材。
【請求項３】
プラグ組み立て部材に適合する複数の外部ケーブルを更に有し、前記複数の外部ケーブルは前記外部結合口を通過して回路基板に接続され、前記複数の外部ケーブルは４本あり、前記外部結合口は４つの円形口で構成され、前記外部結合口及び前記ケーブルが緊密に貼り合わせられることを特徴とする請求項１に記載のプラグ組み立て部材。
【請求項４】
プラグ組み立て部材に適合する複数の外部ケーブルを更に有し、前記複数の外部ケーブルは前記外部結合口を通過して回路基板に接続され、前記複数の外部ケーブルは８本あり、前記８本のケーブルは上から下に順に３本、２本、３本の配列で最密に構成され、前記外部結合口は８本のケーブルの形状に対応するように上から下に順に３つの円形口、２つの円形口、３つの円形口の配列で構成され、前記外部結合口は前記ケーブルに緊密に貼り合わせられることを特徴とする請求項１に記載のプラグ組み立て部材。
【請求項５】
前記下部筐体の前端には下部開口部が開設され、前記上部筐体の前端には上部開口部が開設され、前記上部開口部は前記下部開口部に対応するように設けられ、且つ前記下部開口部と組み合わせて開口部が形成され、
プラグ組み立て部材は、回路基板であって、当該回路基板の前端が前記開口部から外に向けて露出され、前記下部筐体と前記上部筐体との間に設置される、回路基板を更に有する、
ことを特徴とする請求項１に記載のプラグ組み立て部材。
【請求項６】
２つの前記下側壁にはそれぞれ複数の下部固定スロットが開設され、２つの前記上側壁にはそれぞれ複数の上部固定孔が開設され、前記複数の上部固定孔は全て前記複数の下部固定スロットにそれぞれ対応するように設けられると共に互いに連通され、複数の固定部材が前記下部固定スロットから前記上部固定孔を貫通することにより前記下部筐体及び前記上部筐体が相互に固定されることを特徴とする請求項１に記載のプラグ組み立て部材。
【請求項７】
２つの前記下側壁の外表面にはそれぞれ内に向けて凹むように形成される下部収容スロットが形成され、２つの前記上側壁の外表面にはそれぞれ内に向けて凹むように形成される上部収容スロットが形成され、２つの前記上部収容スロットは２つの前記下部収容スロットに対応するように設けられ、且つ２つの前記下部収容スロットと共に２つの収容スロットを形成し、
プラグ組み立て部材は、ロック解除部材を更に有し、前記ロック解除部材は逆Ｕ字形のベースを有し、前記ベースの両端の底部にはそれぞれ前に向けて延伸される固定アームが形成され、前記ベースには引手リングが連結され、前記ベースは前記上部筐体の後端の上表面に装設され、２つの前記固定アームは前記２つの収容スロット中にそれぞれ装設される、
ことを特徴とする請求項１に記載のプラグ組み立て部材。
【考案の詳細な説明】
【技術分野】
【０００１】
本考案は、プラグ組み立て部材（Plug Assembly）に関し、より詳しくは、ケーブルが外に向けて散逸させる放射損失を低減するプラグ組み立て部材に関する。
【背景技術】
【０００２】
従来のＱＳＦＰ（Quad Small Form-Factor Pluggable：QSFP）の後端には複数本の外部ケーブルが接続されるが、前記複数本の外部ケーブルはＱＳＦＰのスペースによる制限を受けるため、ケースに装設される前に複数本のケーブルの外側の絶縁層を剥離させてケーブルの外径サイズを縮小させ、熱収縮チューブにより複数本の外部ケーブルを集約させた後に上下のケース中に固定するように装設させる。
【考案の概要】
【考案が解決しようとする課題】
【０００３】
しかしながら、前述した従来の技術では、ケーブルの外側の絶縁層が剥離されると、前記銅箔層が外に露出され、ケーブル中の電磁場が大気中や他の媒体中に散逸してしまい、エネルギーが失われた。即ち、放射損失が増加し、このエネルギーがケーブルの伝送能力を低下させるほか、他の装置がこのエネルギーを被爆するとその装置が干渉を受けてしまった。
【０００４】
そこで、本考案者は上記の欠点が改善可能と考え、鋭意検討を重ねた結果、合理的設計で上記の課題を効果的に改善する本考案の提案に至った。
【０００５】
本考案は、このような従来の問題に鑑みてなされたものである。上記課題解決のため、本考案は、プラグ組み立て部材を提供することを主目的とする。つまり、外部ケーブルの放射損失の散逸を低減させて他の装置への影響を回避させる。
【課題を解決するための手段】
【０００６】
上記課題を解決するために、本考案のある態様のプラグ組み立て部材は、下部筐体及び上部筐体を備え、前記下部筐体の両側にはそれぞれ上に向けて突出するように形成される下側壁を有し、前記下部筐体内には前記下部筐体の上表面から上に向けて突出すると共に前記下側壁から内に向けて突出するように形成される少なくとも１つの下部嵌め込み部が形成される。前記上部筐体は前記下部筐体に装設され、前記上部筐体の両側にはそれぞれ下に向けて突出するように形成される上側壁を有し、前記上側壁は前記下側壁に対応するように設けられ、前記上部筐体内には前記上部筐体の下表面から下に向けて突出すると共に前記上側壁から内に向けて突出するように形成される少なくとも１つの上部嵌め込み部が形成され、前記上部嵌め込み部は前記下部嵌め込み部に対応するように設けられる。
【考案の効果】
【０００７】
上述したように、本考案に係るプラグ組み立て部材は下部筐体及び上部筐体がそれぞれ下から上に複数の外部ケーブルを挟み、前記下部嵌め込み部及び上部嵌め込み部が外部ケーブルのジャケットを圧入させ、複数のケーブルがプラグ組み立て部材中に直接嵌合されて固定させる。従来の外部ケーブルの絶縁層を剥離する工程が不要になるほか、ケーブルが外に向けて散逸させる放射損失が低減する。
【図面の簡単な説明】
【０００８】
【図１】本考案の第１実施形態に係るプラグ組み立て部材を示す外観斜視図である。
【図２】本考案の第１実施形態に係るプラグ組み立て部材を示す斜視分解図である。
【図３】本考案の第１実施形態に係るプラグ組み立て部材の下部筐体を示す斜視図である。
【図４】本考案の第１実施形態に係るプラグ組み立て部材の上部筐体を示す斜視図である。
【図５】本考案の第１実施形態に係るプラグ組み立て部材と外部ケーブルの組み合わせを示す斜視図である。
【図６】図５に示すVI-VIに沿う断面図である。
【図７】図５に示すVII-VIIに沿う断面図である。
【図８】図５に示すVIII-VIIIに沿う断面図である。
【図９】本考案の第１実施形態に係るプラグ組み立て部材と外部ケーブルが組み合わせられる前の斜視図である。
【図１０】本考案の第２実施形態に係るプラグ組み立て部材と外部ケーブルが組み合わせられる前の斜視図である。
【図１１】本考案の第３実施形態に係るプラグ組み立て部材と外部ケーブルが組み合わせられる前の斜視図である。
【考案を実施するための形態】
【０００９】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１０】
まず、図１に示されるように、本考案に係るプラグ組み立て部材１００はＱＳＦＰ（Quad Small Form-Factor Pluggable：QSFP）である。
【００１１】
（第１実施形態）
以下、第１実施形態を図１〜３に基づいて説明する。前記プラグ組み立て部材１００は下部筐体１と、上部筐体２と、ロック解除部材３と、回路基板４と、を備える。前記下部筐体１の両側にはそれぞれ下に向けて突出するように形成される下側壁１１を有し、２つの前記下側壁１１にはそれぞれ複数の下部固定スロット１１１が開設され、２つの前記下側壁１１の外表面には内に向けて凹むように形成される下部収容スロット１１２が形成される。前記下部筐体１の後端には下に向けて突出するように形成される下部後端壁１２が設けられ、前記下部後端壁１２には下部結合口１２１が開設される。前記下部筐体１の上表面、下側壁１１、及び下部後端壁１２が包囲することにより下部収容空間１３が形成される。前記下部収容空間１３内には下部筐体１の上表面から上に向けて突出すると共に下側壁１１から内に向けて突出するように形成される少なくとも１つの下部嵌め込み部１４が形成される。本実施形態においては、３組の下部嵌め込み部１４を有し、そのうちの２組の下部嵌め込み部１４は前後に配列されると共に互いに平行し、前記下部結合口１２１も内に向けて突出するように形成される下部嵌め込み部１４を有する。前記下部筐体１の前端には下部開口部１５が開設される。
【００１２】
続いて、図１及び図４に示されるように、前記上部筐体２は下部筐体１に装設される。前記上部筐体２の両側にはそれぞれ下に向けて突出するように形成される上側壁２１を有し、前記上側壁２１は下側壁１１に対応するように設けられ、２つの前記上側壁２１にはそれぞれ複数の上部固定孔２１１が開設され、前記複数の上部固定孔２１１は全て複数の下部固定スロット１１１にそれぞれ対応するように設けられると共に互いに連通される。２つの前記上側壁２１の外表面にはそれぞれ内に向けて凹むように形成される上部収容スロット２１２が形成され、２つの前記上部収容スロット２１２は２つの前記下部収容スロット１１２に対応するように設けられ、且つ２つの前記下部収容スロット１１２と共に２つの収容スロットを形成する。前記上部筐体２の後端には下に向けて突出するように形成される上部後端壁２２を有し、前記上部後端壁２２は下部後端壁１２に対応するように設けられ、前記上部後端壁２２には上部結合口２２１が開設される。前記上部結合口２２１は下部結合口１２１に対応するように設けられると共に下部結合口１２１と共に外部結合口２２１１を構成する。前記上部筐体２の下表面、上側壁２１、及び上部後端壁２２が包囲することにより上部収容空間２３が形成され、前記上部収容空間２３は下部収容空間１３に対応するように設けられ、且つ下部収容空間１３と共に収容空間２３１を形成する。前記上部収容空間２３内には上部筐体２の下表面から下に向けて突出すると共に上側壁２１から内に向けて突出するように形成される少なくとも１つの上部嵌め込み部２４が形成され、前記上部嵌め込み部２４は下部嵌め込み部１４に対応するように設けられる。本実施形態においては、３組の上部嵌め込み部２４を有し、そのうちの２組の上部嵌め込み部２４は前後に配列されると共に互いに平行し、前記上部結合口２２１も内に向けて突出するように形成される上部嵌め込み部２４を有し、各前記上部嵌め込み部２４は全て各下部嵌め込み部１４に対応するように設けられる。前記上部筐体２の前端には上部開口部２５が開設され、前記上部開口部２５は下部開口部１５に対応するように設けられ、且つ下部開口部１５と組み合わせて開口部２５１を形成する。
【００１３】
図２に示されるように、前記ロック解除部材３は逆Ｕ字形のベース３１を有し、前記ベース３１の両端の底部にはそれぞれ前に向けて延伸される固定アーム３２が形成され、前記ベース３１上には引手リング３３が連結される。前記ベース３１は上部筐体２の後端の上表面に装設され、２つの前記固定アーム３２は前記２つの収容スロット中にそれぞれ装設される。
【００１４】
本考案に係るプラグ組み立て部材１００を交換器中（図示省略）に装設する場合は、前記交換器内にプラグ組み立て部材１００を交換器中に固定させるための挟持部（図示省略）を有する。本考案に係るプラグ組み立て部材１００を交換器（図示省略）から取り出す場合、まず引手リング３３を後に向けて引き、ロック解除部材３の２つの固定アーム３２を外に向けて展開させ、交換器中の挟持部を開いてプラグ組み立て部材１００を外に取り出す。
【００１５】
図１及び図２に戻って、前記回路基板４は下部筐体１と上部筐体２との間に設置され、前記回路基板４の後端は外部ケーブル５に接続される。前記回路基板４の前端はプラグ組み立て部材１００の開口部２６１から外に向けて露出される。
【００１６】
図５乃至図９を参酌すると、前記外部結合口２２１１の形状は複数の外部ケーブル５の数量に対応するように設けられ、本実施形態では、前記複数の外部ケーブル５は４本あり、前記４本の外部ケーブル５の外囲は熱収縮チューブ５１により覆われる。前記熱収縮チューブ５１が４本の外部ケーブル５を被覆することにより方円形（四隅が丸い四角形）が形成される。よって、本実施形態では、前記外部結合口２２１１の形状は方円形を呈する。前記方円形の外部結合口２２１１及び方円形的ケーブル５が共に熱収縮チューブ５１に緊密に貼り合わせられて完全に密封させることにより、ケーブル５内の電磁場が外に向けて散逸することが防止され、ケーブル５の放射損失の他の装置への影響が回避される。
【００１７】
前記プラグ組み立て部材１００及び複数の外部ケーブル５を組み立てる場合、先に複数の外部ケーブル５の絶縁層を剥離する必要がなく、下部筐体１及び上部筐体２により下から上に複数の外部ケーブル５をそれぞれ直接挟み込み、複数の外部ケーブル５の前部を収容空間２３１中に収容させるのみでよい。この際、前記下部嵌め込み部１４及び上部嵌め込み部２４が外部ケーブル５のジャケットを圧入させ、前記外部結合口２２１１が熱収縮チューブ５１を圧入させる。その後、複数の固定部材６が下部固定スロット１１１から上部固定孔２１１にかけて貫通し、下部筐体１及び上部筐体２が相互に固定される。これにより、外部ケーブル５が下部嵌め込み部１４及び上部嵌め込み部２４によりプラグ組み立て部材１００中に固定されるように緊密に嵌合される。
【００１８】
（第２実施形態）
図１０は本考案の第２実施形態を示す。本実施形態は第１実施形態とほぼ同じであり、その違いは外部結合口２２１１の形状及び複数のケーブル５の組み合わせのみである。以下、その違いについて詳しく説明する。
【００１９】
図１０に示されるように、本考案の第２実施形態に係るプラグ組み立て部材１００では、前記複数のケーブル５は４本である。そこで、本実施形態では、前記外部結合口２２１１が４本のケーブル５の形状に対応する４つの円形口で構成される。前記外部結合口２２１１及び４本のケーブル５が緊密に貼り合わせられることにより完全な密封が達成され、ケーブル５内の電磁場が外に向けて散逸することが防止され、ケーブル５の放射損失の他の装置への影響が回避される。
【００２０】
（第３実施形態）
図１１は本考案の第３実施形態を示す。本実施形態は第１実施形態とほぼ同じであり、その違いは外部結合口２２１１の形状及び複数のケーブル５の組み合わせのみである。以下、その違いについて詳しく説明する。
【００２１】
図１１を参照すれば、本考案の第３実施形態に係るプラグ組み立て部材１００では、前記複数のケーブル５は８本であり、前記８本のケーブル５は上から下に順に３本、２本、３本の配列で最密に構成される。そこで、本実施形態では、前記外部結合口２２１１が８本のケーブル５の形状に対応するように上から下に順に３つの円形口、２つの円形口、３つの円形口の配列で構成される。前記外部結合口２２１１及び８本のケーブル５が緊密に貼り合わせられることにより完全な密封が達成され、ケーブル７内の電磁場が外に向けて散逸することが防止され、ケーブル５の放射損失の他の装置への影響も回避される。
【００２２】
以上のとおり、本考案に係るプラグ組み立て部材１００は下部嵌め込み部１４、上部嵌め込み部２４、及び外部結合口２２１１が設けられることにより、複数のケーブル５がプラグ組み立て部材１００中に直接嵌合されて固定され、従来の外部ケーブル５の絶縁層の剥離する工程が省略され、ケーブル５が外に向けて散逸させる放射損失が低減する。
【００２３】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２４】
１００  プラグ組み立て部材
１  下部筐体
１１ 下側壁
１１１  下部固定スロット
１１２  下部収容スロット
１２  下部後端壁
１２１  下部結合口
１３  下部収容空間
１４  下部嵌め込み部
１５  下部開口部
２  上部筐体
２１  上側壁
２１１  上部固定孔
２１２  上部収容スロット
２２  上部後端壁
２２１  上部結合口
２２１１  外部結合口
２３  上部収容空間
２３１  収容空間
２４  上部嵌め込み部
２５  上部開口部
２５１  開口部
３  ロック解除部材
３１  ベース
３２  固定アーム
３３  引手リング
４  回路基板
５  外部ケーブル
５１  熱収縮チューブ
６  固定部材
【図１】
0003223499.tif 000003
【図２】
0003223499.tif 000004
【図３】
0003223499.tif 000005
【図４】
0003223499.tif 000006
【図５】
0003223499.tif 000007
【図６】
0003223499.tif 000008
【図７】
0003223499.tif 000009
【図８】
0003223499.tif 000010
【図９】
0003223499.tif 000011
【図１０】
0003223499.tif 000012
【図１１】
0003223499.tif 000013